(57)【要約】【課題】連載作品の無料配信を開始した場合であっても収益を得ることができる連載作品配信装置及び連載作品配信システムを提供する。【解決手段】ユーザ端末にネットワークを介して接続可能な連載作品配信装置であって、連載作品を構成する作品データと配信別データとを対応付けて記憶する手段と、前記連載作品を配信するにあたり、有料配信するか無料配信するかを、前記連載作品を構成する作品データに対応付けて記憶された配信別データに応じて作品データごとに個別に判断する手段と、を備えた連載作品配信装置である。【選択図】図１
2011227596.tif 000002
【特許請求の範囲】
【請求項１】
ユーザ端末にネットワークを介して接続可能な連載作品配信装置であって、
連載作品を構成する作品データと配信別データとを対応付けて記憶する手段と、
前記連載作品を配信するにあたり、有料配信するか無料配信するかを、前記連載作品を構成する作品データに対応付けて記憶された配信別データに応じて作品データごとに個別に判断する手段と、
を備えたことを特徴とする連載作品配信装置。
【請求項２】
請求項１に記載の連載作品配信装置とユーザ端末とがネットワークを介して接続可能な連載作品配信システム。
【発明の詳細な説明】
【技術分野】
【０００１】
本発明は、連載作品の配信に関する。
【背景技術】
【０００２】
無料の連載小説や連載記事など（以下、「連載作品」という）をパーソナルコンピュータや携帯電話などに配信するシステムが知られている（たとえば、非特許文献１参照）。このシステムなどでは、連載作品を構成する各回の作品が、所定の順番に従って、順次、無料配信される。
【先行技術文献】
【非特許文献】
【０００３】
【非特許文献１】″ケータイ小説総合サイト  魔法の図書館″、［ｏｎｌｉｎｅ］、［平成２２年４月１５日検索］、インターネット〈URL：http://ip.tosp.co.jp/p.asp?i=mahobook〉
【発明の概要】
【発明が解決しようとする課題】
【０００４】
しかしながら、従来のシステムで連載作品の無料配信を開始した場合は、特に人気が出て書籍化されたり映画化されたりするということでもない限り、収益を得ることができなかった。
【０００５】
そこで、本発明は、連載作品の無料配信を開始した場合であっても収益を得ることができる連載作品配信装置及び連載作品配信システムを提供することを目的とする。
【課題を解決するための手段】
【０００６】
本発明によれば、上記課題は、次の手段により解決される。
【０００７】
本発明は、ユーザ端末にネットワークを介して接続可能な連載作品配信装置であって、連載作品を構成する作品データと配信別データとを対応付けて記憶する手段と、前記連載作品を配信するにあたり、有料配信するか無料配信するかを、前記連載作品を構成する作品データに対応付けて記憶された配信別データに応じて作品データごとに個別に判断する手段と、を備えたことを特徴とする連載作品配信装置である。
【０００８】
また、本発明は、上記の連載作品配信装置とユーザ端末とがネットワークを介して接続可能な連載作品配信システムである。
【発明の効果】
【０００９】
本発明によれば、連載作品の無料配信を開始した場合であっても収益を得ることができる連載作品配信装置及び連載作品配信システムを提供することができる。
【図面の簡単な説明】
【００１０】
【図１】本発明の実施形態に係る連載作品配信システムの概略構成を示す図である。
【図２】本発明の実施形態に係る連載作品配信装置の概略構成を示す図である。
【図３】連載作品配信装置におけるデータの記憶例を示す図であり、（ａ）は配信テーブル、（ｂ）は決済テーブルである。
【図４】記憶処理の一例を示すフローチャートである。
【図５】配信処理の一例を示すフローチャートである。
【図６】本発明の実施形態に係る連載作品配信システムの概略動作例を示す図である。
【発明を実施するための形態】
【００１１】
以下に、添付した図面を参照しつつ、本発明を実施するための形態を詳細に説明する。
【００１２】
［連載作品配信システム１］
図１は、本発明の実施形態に係る連載作品配信システムの概略構成を示す図である。
【００１３】
図１に示すように、本発明の実施形態に係る連載作品配信システム１は、連載作品配信装置１０と、ユーザ端末２０と、作者端末３０と、がネットワークを介して接続されたシステムである。ユーザ端末２０や作者端末３０は、デスクトップパソコンや携帯電話などを用いて構成される。
【００１４】
本発明の実施形態に係る連載作品配信システム１では、連載作品を構成する各回の作品データが作者端末３０から連載作品配信装置１０へ送信される。また、本発明の実施形態に係る連載作品配信システム１では、連載作品を構成する各回の作品データが連載作品配信装置１０からユーザ端末２０へ送信されることにより、連載作品が配信される。
【００１５】
［連載作品配信装置１０］
図２は、本発明の実施形態に係る連載作品配信装置の概略構成を示す図である。
【００１６】
図２に示すように、本発明の実施形態に係る連載作品配信装置１０は、ＣＰＵ１１と、ＲＡＭ１２と、ＲＯＭ１３と、ポインティングデバイス１４と、キーボード１５と、各種のデータ及びプログラムが記憶されるハードディスクやフラッシュドライブなどの記憶手段１６と、ネットワークに接続されるネットワークインタフェースカード（ＮＩＣ）１７と、を備えている。連載作品配信装置１０は、記憶手段１６に記憶されているプログラムをＣＰＵ１１で実行することにより、各種の処理を実行する。
【００１７】
（連載作品配信装置１０が記憶するデータ）
図３は、連載作品配信装置におけるデータの記憶例を示す図であり、（ａ）は配信テーブル、（ｂ）は決済テーブルである。本実施形態では、テーブルを用いることにより、各種のデータを対応付けて記憶手段１６に記憶する。なお、各種のデータを対応付けて記憶する方法は、テーブルを用いた対応付けに限定されない。
【００１８】
＜配信テーブル＞
図３（ａ）に示すように、配信テーブルは、「ｓｅｒｉｅｓ＿ｉｄ」フィールドと、「ｉｎｓｔａｌｌｍｅｎｔ」フィールドと、「ｐａｙｍｅｎｔ」フィールドと、「ｄａｔａ」フィールドと、「ｄａｔｅｔｉｍｅ」フィールドと、を有している。
【００１９】
「ｓｅｒｉｅｓ＿ｉｄ」フィールド
「ｓｅｒｉｅｓ＿ｉｄ」フィールドには、連載作品を識別する連載作品ＩＤが記憶される。連載作品とは、たとえば、連載小説「〇〇物語（全１２回）」や、連載ドキュメント「〇〇の真実（全５回）」や、連載エッセイ「〇〇な日々（未定）」などをいう。
【００２０】
「ｉｎｓｔａｌｌｍｅｎｔ」フィールド
「ｉｎｓｔａｌｌｍｅｎｔ」フィールドには、連載作品の各回を識別する回番号が記憶される。連載作品の「各回」とは、たとえば、全１２回における「第５回目」や、全５回における「第３回目」や、未定における「第７７回目」などをいう。また、回番号とは、「第５回目」や「第３回目」や「第７７回目」を識別する値をいう。
【００２１】
連載作品を構成する２つ以上の作品データのそれぞれは、連載作品ＩＤと回番号との組み合わせにより特定される。たとえば、連載小説「〇〇物語（全１２回）」の連載作品ＩＤを「１」とした場合、連載小説「〇〇物語（全１２回）」の第５回目に係る作品データは、連載作品ＩＤ「１」と回番号「５」との組み合わせにより特定される。
【００２２】
「ｐａｙｍｅｎｔ」フィールド
「ｐａｙｍｅｎｔ」フィールドには、配信別データが記憶される。配信別データは、連載作品を構成する作品データのそれぞれの購読料を示す値である。なお、本実施形態では、購読料の単位を「円」とするが、購読料の単位は、特に限定されるものではなく、たとえば、ポイントサービスにおける「ポイント」などとすることもできる。
【００２３】
本実施形態において、購読料は、有料配信するか無料配信するかを示す値でもある。すなわち、購読料は、その値が「０」を超える場合は有料配信することを示し、「０」である場合は無料配信することを示す。
【００２４】
なお、本実施形態では、連載作品を構成する作品データのそれぞれに購読料を対応付けることができるため、作者は、連載作品を構成する作品データのそれぞれに対して任意の購読料を個別に設定することができる。
【００２５】
「ｄａｔａ」フィールド
「ｄａｔａ」フィールドには、作品データの所在を示す所在値が記憶される。本実施形態では、所在値としてパスを用いる。パスは、記憶手段１６において作品データがどこに記憶されているかを示す文字列である。本実施形態では、この所在値を介して、連載作品を構成する作品データが、連載作品ＩＤと回番号と配信別データとに対応付けて記憶されることになる。
【００２６】
なお、作品データは、ネットワークにおける連載作品配信装置１０以外の装置に記憶されてもよい。この場合は、所在値として、たとえば、ＵＲＬ（Uniform Resource Locator）を用いることができる。作品データは、このＵＲＬを介して、連載作品ＩＤと回番号と配信別データとに対応付けて記憶されることになる。
【００２７】
なお、「ｄａｔａ」フィールドには、所在値ではなく、作品データそのもの（テキストデータやバイナリデータ）を記憶することもできる。この場合、作品データは、所在値を介することなく、連載作品ＩＤと回番号と配信別データとに対応付けて記憶されることになる。
【００２８】
「ｄａｔｅｔｉｍｅ」フィールド
「ｄａｔｅｔｉｍｅ」フィールドには、連載作品配信装置１０が作者端末３０から作品データを受信した日時を示す値が記憶される。
【００２９】
＜決済テーブル＞
図３（ｂ）に示すように、決済テーブルは、「ｕｓｅｒ＿ｉｄ」フィールドと、「ｓｅｒｉｅｓ＿ｉｄ」フィールドと、「ｉｎｓｔａｌｌｍｅｎｔ」フィールドと、「ｄａｔｅｔｉｍｅ」フィールドと、を有している。
【００３０】
「ｕｓｅｒ＿ｉｄ」フィールド
「ｕｓｅｒ＿ｉｄ」フィールドには、ユーザを識別するユーザＩＤが記憶される。
【００３１】
「ｓｅｒｉｅｓ＿ｉｄ」フィールド
「ｓｅｒｉｅｓ＿ｉｄ」フィールドには、連載作品ＩＤが記憶される。
【００３２】
「ｉｎｓｔａｌｌｍｅｎｔ」フィールド
「ｉｎｓｔａｌｌｍｅｎｔ」フィールドには、回番号が記憶される。
【００３３】
「ｄａｔｅｔｉｍｅ」フィールド
「ｄａｔｅｔｉｍｅ」フィールドには、決済の日時を示す値が記憶される。
【００３４】
なお、各フィールドに記憶されるデータは、ネットワークにおける連載作品配信装置１０以外の装置に記憶されてもよく、この場合、連載作品配信装置１０は、当該連載作品配信装置１０以外の装置に当該データを上記した対応関係を有するように記憶する。
【００３５】
（連載作品配信装置１０が実行する処理）
次に、連載作品配信装置１０が実行する処理について説明する。本発明の実施形態に係る連載作品配信装置１０は、作者端末３０から送信された作品データを記憶する記憶処理と、ユーザ端末２０へ作品データを送信する配信処理と、を実行する。以下、順に説明する。
【００３６】
＜記憶処理＞
図４は、記憶処理の一例を示すフローチャートである。記憶処理は、作者端末３０から作品データと配信別データとを受信した場合に開始される。なお、作品データと配信別データとこれら以外のデータとを受信した場合も、作品データと配信別データとのみを受信した場合と同様に、作品データと配信別データとを受信した場合に該当する。
【００３７】
・ステップＡ−１
まず、連載作品配信装置１０は、作者端末３０から受信した作品データを記憶する。
【００３８】
・ステップＡ−２
次に、連載作品配信装置１０は、作者端末３０から、作品データと配信別データとともに連載作品ＩＤを受信したか否かを判断し、受信していない場合は、ステップＡ―３に進み、受信している場合はＡ−４に進む。
【００３９】
・ステップＡ−３
連載作品配信装置１０は、ステップＡ−２において連載作品ＩＤを受信していないと判断した場合、連載作品ＩＤを生成する。
【００４０】
・ステップＡ−４
次に、連載作品配信装置１０は、回番号を生成する。
【００４１】
・ステップＡ−５
そして、連載作品配信装置１０は、配信テーブルの新規のレコードにおける「ｓｅｒｉｅｓ＿ｉｄ」フィールドと「ｉｎｓｔａｌｌｍｅｎｔ」フィールドと「ｐａｙｍｅｎｔ」フィールドと「ｄａｔａ」フィールドと「ｄａｔｅｔｉｍｅ」フィールドとに、受信した連載作品ＩＤ（または生成した連載作品ＩＤ）と生成した回番号と受信した配信別データと記憶した作品データの所在値と作者端末３０から作品データを受信した日時とを記憶し、記憶処理を終了する。
【００４２】
以上の記憶処理により、連載作品を構成する作品データと配信別データとが同一の記憶手段１６において対応付けて記憶される。なお、上述したように、連載作品を構成する作品データは、ネットワークにおける連載作品装置１０以外の装置に記憶することもでき、この場合、連載作品を構成する作品データと配信別データとは別々の記憶手段において対応付けて記憶される。
【００４３】
＜配信処理＞
図５は、配信処理の一例を示すフローチャートである。図５に示すように、配信処理は、ユーザ端末２０から配信要求を受信した場合に開始される。配信要求には、連載作品ＩＤと回番号とユーザＩＤとが含まれる。なお、配信要求と配信要求以外のデータとを受信した場合も、配信要求のみを受信した場合と同様に、配信要求を受信した場合に該当する。
【００４４】
・ステップＢ−１
まず、連載作品配信装置１０は、配信テーブル（図３（ａ）参照）にアクセスし、受信した連載作品ＩＤと回番号とが記憶されているレコードを特定する。
【００４５】
・ステップＢ−２
次に、連載作品配信装置１０は、特定したレコードの「ｐａｙｍｅｎｔ」フィールドに記憶されている配信別データを取得する。
【００４６】
・ステップＢ−３
次に、連載作品配信装置１０は、取得した配信別データが「０」であれば、ステップＢ−６に進む。
【００４７】
・ステップＢ−４
連載作品配信装置１０は、取得した配信別データが「０」でなければ、決済テーブル（図３（ｂ）参照）にアクセスし、受信したユーザＩＤと連載作品ＩＤと回番号とを「ｕｓｅｒ＿ｉｄ」フィールドと「ｓｅｒｉｅｓ＿ｉｄ」フィールドと「ｉｎｓｔａｌｌｍｅｎｔ」フィールドとに記憶するレコードが存在するか否かを判断する。これにより、決済済みであるか否かが判断される。そして、連載作品配信装置１０は、存在すると判断した場合はステップＢ−６に進み、存在しないと判断した場合はステップＢ−５に進む。
【００４８】
・ステップＢ−５
連載作品配信装置１０は、レコードが存在しないと判断した場合、ユーザ端末２０に対して決済が必要であることを通知する決済必要通知を送信し、決済が完了した後、決済テーブルの新規のレコードにおける「ｕｓｅｒ＿ｉｄ」フィールドと「ｓｅｒｉｅｓ＿ｉｄ」フィールドと「ｉｎｓｔａｌｌｍｅｎｔ」フィールドと「ｄａｔｅｔｉｍｅ」フィールドとに、受信したユーザＩＤと連載作品ＩＤと回番号と決済の日時とを記憶して決済テーブルを更新し、ステップＢ−６に進む。なお、決済必要通知には、連載作品ＩＤと回番号とが含まれる。
【００４９】
なお、ユーザ端末２０による決済の方法は、特に限定されない。ユーザ端末２０は、たとえば、クレジットカード決済や前払式カードなどで決済を行うことができる。また、決済は、お金ではなく、ポイントサービスにおけるポイントなどで行うこともできる。
【００５０】
・ステップＢ−６
連載作品配信装置１０は、ステップＢ−１にて特定したレコードの「ｄａｔａ」フィールドに記憶されている所在値に基づいて、受信した連載作品ＩＤと回番号とにより特定される作品データを取得し、当該取得した作品データをユーザ端末２０に対して送信し、配信処理を終了する。
【００５１】
以上のようにして、連載作品配信装置１０は、連載作品を配信するにあたり、有料配信するか無料配信するかを、連載作品を構成する作品データに対応付けて記憶された配信別データに応じて作品データごとに個別に判断する。
【００５２】
［連載作品配信システム１の動作例］
図６は、本発明の実施形態に係る連載作品配信システムの概略動作例を示す図である。
【００５３】
（ステップＳ１）
まず、作者端末３０が、連載作品の第１回目に係る作品データと配信別データ「０」とを連載作品配信装置１０へ送信する。連載作品配信装置１０は、作品データと配信別データ「０」とを記憶手段１６に記憶する。記憶手段１６において、配信別データ「０」は、連載作品の第１回目に係る作品データに対応付けられる。
【００５４】
（ステップＳ２）
次に、作者端末３０が、連載作品の第２回目に係る作品データと配信別データ「０」とを連載作品配信装置１０へ送信する。連載作品配信装置１０は、作品データと配信別データ「０」とを記憶手段１６に記憶する。記憶手段１６において、配信別データ「０」は、連載作品の第２回目に係る作品データに対応付けられる。
【００５５】
（ステップＳ３）
次に、ユーザ端末２０が、連載作品の第１回目に係る作品データの配信要求を連載作品配信装置１０へ送信する。
【００５６】
（ステップＳ４）
次に、連載作品配信装置１０は、連載作品の第１回目に係る作品データに対応付けて記憶されている配信別データが「０」であるため、無料配信であると判断し、連載作品の第１回目に係る作品データをユーザ端末２０へ送信する。
【００５７】
（ステップＳ５）
次に、ユーザ端末２０が、連載作品の第２回目に係る作品データの配信要求を連載作品配信装置１０へ送信する。
【００５８】
（ステップＳ６）
次に、連載作品配信装置１０は、連載作品の第２回目に係る作品データに対応付けて記憶されている配信別データが「０」であるため、無料配信であると判断し、連載作品の第２回目に係る作品データをユーザ端末２０へ送信する。
【００５９】
（ステップＳ７）
次に、作者端末３０が、連載作品の第３回目に係る作品データと配信別データ「３０」とを連載作品配信装置１０へ送信する。連載作品配信装置１０は、作品データと配信別データ「３０」とを記憶手段１６に記憶する。記憶手段１６において、配信別データ「３０」は、連載作品の第３回目に係る作品データに対応付けられる。
【００６０】
（ステップＳ８）
次に、ユーザ端末２０が、連載作品の第３回目に係る作品データの配信要求を連載作品配信装置１０へ送信する。
【００６１】
（ステップＳ９）
次に、連載作品配信装置１０は、連載作品の第３回目に係る作品データに対応付けて記憶されている配信別データが「３０」であるため、有料配信であると判断し、ユーザ端末２０のユーザが連載作品の第３回目に係る作品データについて決済済みであるか否かを判断する。ここでは、まだ決済されていないとして、連載作品配信装置１０は、ユーザ端末２０に対して決済必要通知を送信し、決済が完了した後、決済テーブルを更新する。
【００６２】
（ステップＳ１０）
次に、ユーザ端末２０が、再度、連載作品の第３回目に係る作品データの配信要求を連載作品配信装置１０へ送信する。
【００６３】
（ステップＳ１１）
次に、連載作品配信装置１０は、連載作品の第３回目に係る作品データに対応付けて記憶されている配信別データが「３０」であるため、有料配信であると判断し、ユーザ端末２０のユーザが連載作品の第３回目に係る作品データについて決済済みであるか否かを判断する。ここでは、上記した決済テーブルの更新により決済済みとされているため、連載作品配信装置１０は、連載作品の第３回目に係る作品データをユーザ端末２０へ送信する。
【００６４】
（ステップＳ１２）
次に、作者端末３０が、連載作品の第４回目に係る作品データと配信別データ「０」とを連載作品配信装置１０へ送信する。連載作品配信装置１０は、作品データと配信別データ「０」とを記憶手段１６に記憶する。記憶手段１６において、配信別データ「０」は、連載作品の第４回目に係る作品データに対応付けられる。
【００６５】
（ステップＳ１３）
次に、ユーザ端末２０が、連載作品の第４回目に係る作品データの配信要求を連載作品配信装置１０へ送信する。
【００６６】
（ステップＳ１４）
次に、連載作品配信装置１０は、連載作品の第４回目に係る作品データに対応付けて記憶されている配信別データが「０」であるため、無料配信であると判断し、連載作品の第４回目に係る作品データをユーザ端末２０へ送信する。
【００６７】
（ステップＳ１５）
次に、作者端末３０が、連載作品の第５回目に係る作品データと配信別データ「５０」とを連載作品配信装置１０へ送信する。連載作品配信装置１０は、作品データと配信別データ「５０」とを記憶手段１６に記憶する。記憶手段１６において、配信別データ「５０」は、連載作品の第５回目に係る作品データに対応付けられる。
【００６８】
（ステップＳ１６）
次に、ユーザ端末２０が、連載作品の第５回目に係る作品データの配信要求を連載作品配信装置１０へ送信する。
【００６９】
（ステップＳ１７）
次に、連載作品配信装置１０は、連載作品の第５回目に係る作品データに対応付けて記憶されている配信別データが「５０」であるため、有料配信であると判断し、ユーザ端末２０のユーザが連載作品の第５回目に係る作品データについて決済済みであるか否かを判断する。ここでは、まだ決済されていないとして、連載作品配信装置１０は、ユーザ端末２０に対して決済必要通知を送信し、決済が完了した後、決済テーブルを更新する。
【００７０】
（ステップＳ１８）
次に、ユーザ端末２０が、再度、連載作品の第５回目に係る作品データの配信要求を連載作品配信装置１０へ送信する。
【００７１】
（ステップＳ１９）
次に、連載作品配信装置１０は、連載作品の第５回目に係る作品データに対応付けて記憶されている配信別データが「５０」であるため、有料配信であると判断し、ユーザ端末２０のユーザが連載作品の第５回目に係る作品データについて決済済みであるか否かを判断する。ここでは、上記した決済テーブルの更新により決済済みとされているため、連載作品配信装置１０は、連載作品の第５回目に係る作品データをユーザ端末２０へ送信する。
【００７２】
以上説明したように、本発明の実施形態に係る連載作品配信システム１によれば、作者は、連載作品の無料配信を開始した場合であっても、連載の途中から連載作品を有料にしたり無料に戻したりすることができるため、読者数を確保しつつ、収益を得ることができる。
【実施例１】
【００７３】
実施例１として、上記で説明した本発明の実施形態に係る連載作品配信システム１を用いて連載携帯小説（全５話）を配信する場合について検討する。実施例１では、次の表１に記載のように、第１話と第２話とが無料配信された後、第３話が有料配信される。その後、一度無料配信に戻って第４話は無料配信されるが、最終回である第５話は有料配信される。
【表１】
2011227596.tif 000003
【００７４】
［比較例１］
比較例１として、連載作品をすべて無料配信する連載作品配信システムを用いて連載携帯小説（全５話）を配信する場合ついて検討する。このシステムでは、次の表２に記載のように、第１話〜第５話のすべてが無料配信される。
【表２】
2011227596.tif 000004
【００７５】
［比較例２］
比較例２として、連載作品を有料配信する連載作品配信システムを用いて連載携帯小説（全５話）を配信する場合ついて検討する。このシステムでは、次の表３に記載のように、第１話〜第５話がまとめて販売され、有料配信される。
【表３】
2011227596.tif 000005
【００７６】
［比較］  
以上をまとめると、次の表４のようになる。
【表４】
2011227596.tif 000006
【００７７】
以上から明らかなように、比較例１では、第１話〜第５話のすべてが無料配信されるので、作者は、特に人気が出て書籍化されたり映画化されたりするということでもない限り、収益を得ることができない。
【００７８】
また、比較例２では、第１話〜第５話が全話まとめて販売されるため、読者が集まり難い。
【００７９】
これらに対し、本発明の実施例１によれば、作者は、人気が出たところで、好きなタイミングで（任意の回から）、好きな購読料（任意の購読料）で連載作品を有料化できる。また、本発明の実施例１によれば、作者は、連載作品の人気がなくなってきた場合などに、連載作品を無料配信に戻して、読者を集め直すこともできる。したがって、本発明の実施例１によれば、作者は、無料配信で読者を集めつつ、無料配信で開始した連載作品について収益化を図ることができる。
【００８０】
以上、本発明の実施形態及び実施例について説明したが、これらの説明は、本発明の一例に関するものであり、本発明は、これらの説明によって何ら限定されるものではない。
【符号の説明】
【００８１】
１０    連載作品配信装置
１１    ＣＰＵ
１２    ＲＡＭ
１３    ＲＯＭ
１４    ポインティングデバイス
１５    キーボード
１６    記憶手段
１７    ネットワークインタフェースカード（ＮＩＣ）
【図１】
2011227596.tif 000007
【図２】
2011227596.tif 000008
【図３】
2011227596.tif 000009
【図４】
2011227596.tif 000010
【図５】
2011227596.tif 000011
【図６】
2011227596.tif 000012